(57)【要約】【課題】読影医の要望に応じた方法で参照すべき過去画像の検索を容易に行うことができ、適切な参照画像を表示することのできる医用画像表示システムを提供する。【解決手段】医用画像と付帯情報とを関連づけて保存する保存手段と、付帯情報に関する検索条件を入力する入力手段（ステップＳ２）と、入力された検索条件に合致する付帯情報を検索する手段（ステップＳ５）と、検索された付帯情報、及び／又は、当該付帯情報に対応する医用画像を表示する表示手段（ステップＳ８）と、を有し、検索された付帯情報に対応する医用画像を参照画像として選択可能とする（ステップＳ１１）。【選択図】図８
2005085200.tif 000002
【特許請求の範囲】
【請求項１】
読影すべき医用画像に関連する参照画像として、保存された医用画像を表示可能な医用画像表示システムであって、
前記医用画像と付帯情報とを関連づけて保存する保存手段と、
前記付帯情報に関する検索条件を入力する入力手段と、
入力された検索条件に合致する付帯情報を検索する手段と、
検索された付帯情報、及び／又は、当該付帯情報に対応する医用画像を表示する表示手段と、
を有し、
検索された付帯情報に対応する医用画像を参照画像として選択可能であることを特徴とする医用画像表示システム。
【請求項２】
請求項１に記載の医用画像表示システムにおいて、
前記付帯情報は患者に関する項目情報および医用画像の撮影条件に関する項目情報を含むことを特徴とする医用画像表示システム。
【請求項３】
請求項１または２に記載の医用画像表示システムにおいて、
前記付帯情報は、前記医用画像に基づく読影医の所見に関する項目情報を含むことを特徴とする医用画像表示システム。
【請求項４】
請求項１〜３のいずれか一項に記載の医用画像表示システムにおいて、
前記入力手段により入力された検索条件は、読影医毎に登録可能であることを特徴とする医用画像表示システム。
【請求項５】
請求項１〜４のいずれか一項に記載の医用画像表示システムにおいて、
前記入力手段により入力された検索条件は、患者毎に登録可能であることを特徴とする医用画像表示システム。
【請求項６】
請求項１〜５のいずれか一項に記載の医用画像表示システムにおいて、
前記入力手段により入力された検索条件は、病名毎に登録可能であることを特徴とする医用画像表示システム。
【請求項７】
請求項１〜６のいずれか一項に記載の医用画像表示システムにおいて、
前記医用画像を表示手段に表示させる際に、前記医用画像上に前記検索された付帯情報を表示し、当該付帯情報に対応する医用画像を参照画像として選択可能にしたことを特徴とする医用画像表示システム。
【請求項８】
請求項７に記載の医用画像表示システムにおいて、
前記表示手段に読影すべき医用画像と、参照画像とを表示する際に、前記参照画像上に前記検索された付帯情報を表示することができることを特徴とする医用画像表示システム。
【発明の詳細な説明】
【技術分野】
【０００１】
本発明は、医用画像を表示する医用画像表示システムに関する。
【背景技術】
【０００２】
近年、デジタル化された医用画像のデータ転送、保存、表示、検索などを行うシステムとして、ＰＡＣＳ（Picture  Archiving  and  Communication  System)と呼ばれる画像ファイル通信保管システムが稼働している。
【０００３】
ＰＡＣＳにおいて、コンピュータ放射線画像撮影装置（以下、ＣＲ；Computed Radiographyという。）や核磁気共鳴イメージング装置（以下、ＭＲＩ；Magnetic Resonance Imagingという。）等の種々のモダリティで取得した患者の医用画像は、患者のＩＤ、氏名、性別等の患者に関する項目情報や、モダリティの種類、撮影日、撮影部位等の撮影条件に関する項目情報等を含む付帯情報とともにサーバ等に転送されて一時保管された後、光ディスク等の大容量の記憶媒体に記憶されて保存される。診察室に設置された端末装置等からは、ネットワークを通じて記憶された医用画像を検索、表示することができる。
【０００４】
ところで、この様なＰＡＣＳを利用して医用画像を読影する際に、患者に検査歴がある場合、過去に読影された画像（以下、「過去画像」という。）を参照して、病状の経過判断を行うことが一般的である。この様な場合に、例えば、検査日を指定することにより、過去画像を検索可能にしたシステムが知られている（例えば、特許文献１参照）。
【特許文献１】特開平１１−２５９５２６号公報
【発明の開示】
【発明が解決しようとする課題】
【０００５】
しかしながら、上記従来のシステム（特許文献１）では、指定した検査日に医用画像を撮影した全ての検査（検査オーダー）の検査日リストが表示されることから、読影医は検査日リストに表示される患者の中から対象となる患者を選定しなければならなかった。
【０００６】
また、検査歴の多い患者の場合、種々のモダリティにより撮影条件の異なる複数の画像が過去画像として存在する場合がある。このようなとき、読影医は検査日による検索だけでは、参照に適した過去画像を選定するのが困難であった。
【０００７】
さらに、参照する過去画像の選定の仕方は、読影医や患者の病状によって異なるのが普通である。したがって、予め定められた検索項目の範囲内でしか過去画像を検索することができない従来のシステムは、利便性に欠けるものとなっていた。
【０００８】
本発明の課題は、読影医の要望に応じた方法で参照すべき過去画像の検索を容易に行うことができ、適切な参照画像を表示することのできる医用画像表示システムを提供することにある。
【課題を解決するための手段】
【０００９】
上記課題を解決するために、請求項１に記載の発明は、読影すべき医用画像に関連する参照画像として、保存された医用画像を表示可能な医用画像表示システムであって、前記医用画像と付帯情報とを関連づけて保存する保存手段と、前記付帯情報に関する検索条件を入力する入力手段と、入力された検索条件に合致する付帯情報を検索する手段と、検索された付帯情報、及び／又は、当該付帯情報に対応する医用画像を表示する表示手段と、を有し、検索された付帯情報に対応する医用画像を参照画像として選択可能であることを特徴とする。
【００１０】
請求項２に記載の発明は、請求項１に記載の医用画像表示システムにおいて、前記付帯情報は患者に関する項目情報および医用画像の撮影条件に関する項目情報を含むことを特徴とする。
【００１１】
請求項３に記載の発明は、請求項１または２に記載の医用画像表示システムにおいて、前記付帯情報は、前記医用画像に基づく読影医の所見に関する項目情報を含むことを特徴とする。
【００１２】
請求項４に記載の発明は、請求項１〜３のいずれか一項に記載の医用画像表示システムにおいて、前記入力手段により入力された検索条件は、読影医毎に登録可能であることを特徴とする。
【００１３】
請求項５に記載の発明は、請求項１〜４のいずれか一項に記載の医用画像表示システムにおいて、前記入力手段により入力された検索条件は、患者毎に登録可能であることを特徴とする。
【００１４】
請求項６に記載の発明は、請求項１〜５のいずれか一項に記載の医用画像表示システムにおいて、前記入力手段により入力された検索条件は、病名毎に登録可能であることを特徴とする。
【００１５】
請求項７に記載の発明は、請求項１〜６のいずれか一項に記載の医用画像表示システムにおいて、前記医用画像を表示手段に表示させる際に、前記医用画像上に前記検索された付帯情報を表示し、当該付帯情報に対応する医用画像を参照画像として選択可能にしたことを特徴とする。
【００１６】
請求項８に記載の発明は、請求項７に記載の医用画像表示システムにおいて、前記表示手段に読影すべき医用画像と、参照画像とを表示する際に、前記参照画像上に前記検索された付帯情報を表示することができることを特徴とする。
【発明の効果】
【００１７】
請求項１に記載の発明によれば、付帯情報に関する検索条件を任意に入力することができるので、検索条件に合致する付帯情報に対応する医用画像を参照画像として選択可能とし、読影医の種々の検索要望に柔軟に対応することができ、検索も容易である。したがって、適切な参照画像を選択して表示させることができる。
【００１８】
請求項２に記載の発明によれば、患者に関する項目情報および撮影条件に関する項目情報の中から任意に検索条件を入力することができる。
【００１９】
請求項３に記載の発明によれば、医用画像に基づき読影医の所見に関する項目情報の中から検索条件を任意に入力することができるので、所見に関する項目情報に当該医用画像の重要度を含めておくことにより、読影医の所見による重要度によって医用画像を検索することができる。
【００２０】
請求項４に記載の発明によれば、読影医毎に入力された検索条件を登録することができるので、参照画像の検索を行う都度、検索条件を入力する必要がなく、それぞれの読影医の好みの検索方法で参照画像を検索することができる。
【００２１】
請求項５に記載の発明によれば、患者毎に検索条件を登録することができるので、参照画像の検索を行う都度、検索条件を入力する必要がなく、それぞれの患者の病状等に応じた検索方法で参照画像を検索することができる。
【００２２】
請求項６に記載の発明によれば、病名毎に検索条件を登録することができるので、同じ病名の患者であれば、参照画像の検索を行う都度、検索条件を入力する必要がなく、それぞれの病名に応じた検索方法で参照画像を検索することができる。
【００２３】
請求項７に記載の発明によれば、検索結果としての付帯情報を医用画像上に選択可能に表示することができるので、参照画像と検索結果を一つの画面で同時に参照することができ、また検索結果の中から所望の画像を参照画像として選択することができる。
【００２４】
請求項８に記載の発明によれば、読影すべき医用画像と参照画像とを表示する際に、参照画像上に検索結果としての付帯情報選択可能に表示することができるので、読影すべき医用画像が検索結果に隠れることがない。また、検索結果の中から所望の画像を参照画像として選択することができる。
【発明を実施するための最良の形態】
【００２５】
以下図面を参照して本発明を実施するための最良の形態の医用画像表示システム１００について説明する。医用画像表示システム１００は、ＰＡＣＳを基に構成されており、読影すべき医用画像を読影する際に、参照画像として既に読影された過去画像を検索するための検索項目を任意に設定することができ、選択された過去画像の中から所望の画像を参照画像として選択可能にしたものである。図１に示す様に、モダリティ１、医用画像管理装置２、医用画像表示装置３等を備え、互いにネットワークＮを介して接続されている。また、ＤＩＣＯＭ（Digital Imaging and Communications in Medicine）規格によりＨＩＳ／ＲＩＳ４等の病院内の他の情報管理システムと互いに接続可能に構成されている。
【００２６】
なお、ＨＩＳはHospital Information Systemの略称であり、患者の個人情報、診療費の会計処理等を統括管理する病院情報システムである。また、ＲＩＳはRadiology Information Systemの略称であり、ＣＲ等の放射線検査等の予約、検査受付、検査データの読影、保管等を一貫して行う放射線科情報システムである。
【００２７】
ネットワークＮは、病院等の建物内または病院間に構築されたＬＡＮ（Local  Area  Network）やＷＡＮ（Wide  Area  Network）等の情報通信網である。
【００２８】
モダリティ１は、デジタル化したＤＩＣＯＭ医用画像を生成するＤＩＣＯＭ規格に準拠した装置であり、フィルムデジタイザ（X線フィルム画像読取装置）１１、血管撮影装置（ＤＳＡ）１２、ＣＲ１３、ＣＴスキャナ装置（コンピュータ断層撮影装置）１４、ＭＲＩ１５、核医学診断装置（ＲＩ）１６、超音波診断装置１７、電子内視鏡装置１８等を備えている。なお、本システム１００を構成するモダリティの種類や数はこれに限定されるものではない。
【００２９】
医用画像管理装置２は、医用画像をその付帯情報とともにデータベース化して保存し、医用画像表示装置３からの要求に応じて付帯情報の検索、医用画像および付帯情報の転送を行うサーバであり、図２に示すように、制御部２１、記憶部２２、Ｉ／Ｆ部２３等を備え、各部はバス２４を介して互いに接続されている。
【００３０】
制御部２１は、ＣＰＵ（Central Processing Unit）、ＲＡＭ（Random Access Memory）、ＲＯＭ（Read Only Memory）等を備え、ＣＰＵにおいて、ＲＡＭの所定領域を作業領域としてＲＯＭまたは記憶部に記憶されている医用画像表示プログラム等の各種プログラムに従い、コンピュータ制御により上記各部に制御信号を送って医用画像管理装置２の動作全般を集中制御し、後述する検索処理を含む医用画像表示処理を実行する。
【００３１】
記憶部２２は、例えば、ＨＤＤ（Hard  Disc  Drive）、光ディスク等の磁気的あるいは光学的記憶媒体や半導体メモリ等の図示しない記憶媒体を固定的又は着脱自在に備え、当該医用画像表示プログラム、医用画像、付帯情報等を記憶する。医用画像と付帯情報とは互いに対応付けられて、データベース化されている。
【００３２】
ここで、記憶部２２の容量に応じて、画像圧縮処理プログラムやデータ圧縮回路等を備える構成とし、これらによりデータ量を圧縮した上で医用画像を記憶させてもよいのは勿論である。
【００３３】
付帯情報は患者に関する項目情報、医用画像の撮影条件に関する項目情報、読影の有無に関する項目情報、読影医の所見（レポート）に関する項目情報等、種々の項目情報を含む。これらの付帯情報は、モダリティ１、及び／又は、ＲＩＳ／ＨＩＳにおいて入力されるもので、医用画像管理装置２はネットワークＮを介してこれらの情報を取得する。
【００３４】
患者に関する項目情報として、例えば、患者ＩＤ、氏名、生年月日、年齢、性別、住所、既往歴等が挙げられる。
【００３５】
撮影条件に関する項目情報として、例えば、検査日、検査番号、撮影部位、撮影装置（モダリティ１の種類）、撮影方法、撮影依頼科名、撮影依頼読影医名、撮影技師名、画像数等が挙げられる。なお、検査日は撮影が行われた年月日を示す。検査番号は検査毎に発番される。
【００３６】
読影医の所見に関する項目情報として、例えば、所見の作成状態、所見のテキストデータ、当該医用画像の重要度に関する情報等が挙げられる。ここで、重要度とは診断に供される際の重要度をいい、例えば、５段階評価等により数値化してもよい。
【００３７】
Ｉ／Ｆ部２３は、ネットワークＮを通じて、モダリティ１や医用画像表示装置３と通信接続するためのネットワークインターフェイスであり、これら各装置間でデータの授受を行う。
【００３８】
医用画像表示装置３は診察室等に設置される端末装置等である。この医用画像表示装置３から、ネットワークＮを介して医用画像および付帯情報の検索、これらの表示をすることができる。読影医は医用画像表示装置３に表示された医用画像を読影し、患者を診断する。
【００３９】
図３に示すように、医用画像表示装置３は、制御部３１、操作部３２、記憶部３３、Ｉ／Ｆ部３４、表示部３５等を備え、各部はバス３６を介して互いに接続されている。
【００４０】
制御部３１は、ＣＰＵ、ＲＡＭ、ＲＯＭ等を備え、医用画像表示プログラム等の各種プログラムに従い、コンピュータ制御により上記各部に制御信号を送って医用画像表示装置３の動作全般を集中制御し、後述する検索項目設定処理を含む医用画像表示処理を実行する。
【００４１】
操作部３２は、読影医のＩＤ番号、設定する検索項目、各検索項目に応じた検索条件等の入力操作、各種メニュー画面の表示操作等を行う際に操作される数字キー、文字キー、各種機能キー等から構成されるキーボードやマウス等のポインティングデバイスを含んで構成される。
【００４２】
記憶部３３は、例えば、ＨＤＤ（Hard  Disc  Drive）、光ディスク等の磁気的あるいは光学的記憶媒体や半導体メモリ等を固定的又は着脱自在に備え、医用画像表示プログラム等各種プログラムやネットワークＮを介して受信した医用画像、付帯情報、検索結果等を記憶する。
【００４３】
Ｉ／Ｆ部３４は、ネットワークＮを通じて、モダリティ１や医用画像管理装置２と通信接続するためのインターフェイスであり、これら各装置間でデータの授受を行う。
【００４４】
表示部３５は、ＣＲＴ（Cathode  Lay  Tube）、ＬＣＤ（Liquid  Crystal  Display）等の表示装置から構成され、制御部３１から入力される制御信号に基づき各種表示を行う。表示部３５は１つの表示装置から構成されてもよいし、複数の表示装置から構成されていてもよい。
【００４５】
表示部３５には患者情報等を表示する基本画面（図４参照）、検索項目設定画面（図５参照）、検索結果表示画面（図６参照）、医用画像表示画面（図７参照）等の各種画面が表示される。これらの画面には操作部３２により操作可能な各種操作ボタン、操作メニュー、入力メニューが表示される。
【００４６】
図４に示す基本画面は、医用画像を表示させるための「読影」ボタン３５ａを含む各種操作ボタン表示エリアＡ１、救急患者がいる場合に救急マーク３５ｂを表示する救急マーク表示エリアＡ２、読影すべき医用画像（以下、「未読影画像」という）に対応する付帯情報を表示する未読影画像一覧表示エリアＡ３等を有している。
【００４７】
未読影画像一覧表示エリアＡ３には、撮影日および患者等による分類毎に付帯情報を一覧表示することができるようになっている。図４では、「昨日の未読影」、「本日の未読影」と示すように撮影日による分類と、「症例用」の患者、「救急」患者の様に、患者の種類による分類により、未読影画像に対応する付帯情報を一覧表示するようになっている。
【００４８】
各分類毎の付帯情報の表示／非表示の切り替えは、各分類毎に設けられた表示バーの展開／折り畳みボタン３５ｃを操作することにより行うことができる。図４では、「本日の未読影」の画像および「救急」の患者の未読影画像のそれぞれに対応する付帯情報を一覧表示させた状態を示している。一覧表示された付帯情報の中から特定の患者を選択し、操作部３２を解してメニュー画面等を表示させることにより図５に示す検索項目設定画面を表示させることができる。
【００４９】
図５に示す検索項目設定画面は、読影医が未読影画像を読影する際に、参照画像とする過去画像を検索するための検索項目を付帯情報に含まれる項目情報の中から任意に設定する際にウインドウ表示される操作画面である。検索項目設定画面には、検索項目選択ボタン表示エリアＡ４、検索条件入力エリアＡ５、表示件数設定ボタン表示エリアＡ６等が設けられている。
【００５０】
検索項目選択ボタン表示エリアＡ４には付帯情報に含まれる各項目情報の項目名が選択可能に表示されている。検索項目選択ボタン表示エリアＡ４と、検索条件入力エリアＡ５との間には移行ボタン３５ｄが設けられている。
【００５１】
操作部３２を介して、検索項目選択ボタン表示エリアＡ４上で検索項目としたい項目を選択し、移行ボタン３５ｄを押下することにより、選択された項目が検索条件入力エリアＡ５に移行し、検索項目として設定される。このとき、同一の項目を複数回選択して各回毎に移行ボタン３５ｄを押下することにより、検索条件入力エリアＡ５に同一名の検索項目を複数設けることができる。
【００５２】
検索条件入力エリアＡ５には、上記の様にして設定された検索項目が表示され、各検索項目について検索条件を入力することができる。異なる検索項目間の間ではａｎｄ検索を行うものとして設定される。同一の検索項目が複数ある場合は、その検索項目についてはｏｒ検索を行うものとして設定される。削除したい検索項目がある場合、検索条件入力エリアＡ５から該当する検索項目名を選択し、移行ボタン３５ｄの下方に表示される「削除」ボタン３５ｅを押下操作することにより、当該項目を検索項目から削除することができる。なお、異なる検索項目間でｏｒ検索を行うように設定してもよいのは勿論である。
【００５３】
この様に設定された検索項目に対してそれぞれ検索条件を入力することができ、一度入力設定した検索条件は、読影医毎に登録することが可能であり、さらに、病名毎、あるいは患者毎に登録しておくこともできる。
【００５４】
なお、図５において、検索項目選択ボタン表示エリアＡ４に選択可能な項目名として「検査日」、「部位」、「モダリティ」、「依頼科」、「重要度」のみ表示しているが、これに限定されるものではなく、付帯情報に含まれる各項目情報名を選択可能に表示することができる。また、重要度は、上述の通り所見に関する項目情報である。
【００５５】
検索項目設定画面の右上に表示されるクローズボタン３５ｆを押下または図示しない実行ボタンが押下されると、設定された検索項目毎に入力された検索条件に従って患者の過去画像に対応する付帯情報の検索が行われる。
【００５６】
例えば、図６において、患者「○○  太郎」氏の未読影画像に対応する付帯情報をＢ１で示す。この患者の過去画像は、図８（ａ）に示す様に１１件あったとする。図５において設定された検索条件に合致する付帯情報をこの中から検索すると、撮影部位が胸部、モダリティはＣＲまたはＣＴ、重要度５という項目情報に合致する５件の付帯情報が検索結果として取得される。
【００５７】
上記の様にして検索された検索結果は、図６の検索結果表示画面に示す様に、患者の未読影画像に対応する付帯情報Ｂ１とともに関連情報Ｂ２として表示することができる。関連情報Ｂ２は設定された表示件数分が表示される。表示件数分以上の件数の付帯情報が検索された場合、次の関連情報を表示させるための「《次の関連情報を表示》」ボタン３５ｇが表示される。
【００５８】
このとき、関連情報Ｂ２は付帯情報Ｂ１の下層にツリー形式により表示してもよい。関連情報Ｂ２の表示／非表示は展開／折り畳みボタン３５ｈを操作することにより切り換える様にしてもよい。
【００５９】
なお、予め検査項目や検索条件を設定登録しておいた場合は、登録された内容を呼び出すことにより、自動的に登録された検索条件に従って検索し、検索結果に合致する関連情報Ｂ２を該当する患者の付帯情報Ｂ１とともに表示するようにしてもよい。
【００６０】
表示された関連情報Ｂ２の中からいずれかの過去画像に対応する付帯情報を選択して、「読影」ボタン３５ａを押下すると該当する過去画像を参照画像として表示部３５に表示させることができる。
【００６１】
医用画像表示画面は、図７に示す様に、未読影画像Ｃ１と、参照画像Ｃ２とを同時に表示することができる。表示部３５が複数の表示装置からなる場合、一の表示装置に未読影画像Ｃ１を表示させ、他の表示装置に参照画像Ｃ２を表示させることができる。
【００６２】
また、医用画像表示画面には、図７に示す様に、過去画像Ｃ２上に当該患者の関連情報Ｂ２を表示させることができる。このとき、操作部３２において所定の操作を行うことにより、関連情報Ｂ２の表示／非表示を切り換えることができる。
【００６３】
所定の操作として、例えば、参照画像Ｃ２上でマウスをクリックすることにより関連情報Ｂ２の表示／非表示を切り換える様な構成や、マウス等の操作により表示部３５にメニュー画面を表示させてそれにより関連情報Ｂ２の表示／非表示を切り換えるような構成としてもよい。
【００６４】
参照画像Ｃ２上に表示された関連情報Ｂ２の一覧から所定の付帯情報を選択することにより、選択された付帯情報に対応する他の過去画像を参照画像として選択し、表示させることができる。
【００６５】
次に、本医用画像表示システム１００において実行される医用画像表示処理について、図９に示すフローチャートに基づいて説明する。
【００６６】
医用画像表示装置３の電源が投入されると、表示部３５に基本画面（図４参照）が表示され（ステップＳ１）、その日に読影すべき未読影画像に関する付帯情報一覧が表示部３５に表示される。
【００６７】
このとき、例えば、読影医にＩＤ番号の入力等を求め読影医の認証を行う様にし、認証された読影医に対応する基本画面を表示部３５に表示させる様にしてもよい。
【００６８】
次に、検索項目設定画面（図５参照）を介して検索項目の設定操作および検索条件の入力操作が行われると（ステップＳ２：Ｙ）、検索要求が医用画像管理装置２に送信される（ステップＳ３）。
【００６９】
医用画像管理装置２では、検索要求を受信すると（ステップＳ４）、検索プログラムを起動して当該検索要求に合致する付帯情報を検索し（ステップＳ５）、検索結果を医用画像表示装置３に送信する（ステップＳ６）。
【００７０】
医用画像表示装置３は、検索結果を受信すると（ステップＳ７）、検索結果表示画面(図７参照）において該当する患者について関連情報Ｂ２を表示する（ステップＳ８）。
【００７１】
このとき、該当する患者の未読影画像に対応する付帯情報Ｂ１とともに関連情報Ｂ２を表示してもよいし、折り畳み／展開ボタン３５ｈが押下されたときに、初めて関連情報Ｂ２を表示するようにしてもよい。
【００７２】
そして、関連情報Ｂ２の中からいずれかの付帯情報が選択され（ステップＳ９：Ｙ）、「読影」ボタン３５ｃが押下操作されると（ステップＳ１０：Ｙ）、当該付帯情報に対応する過去画像を参照画像Ｃ２として医用画像表示画面(図７）に表示することができる（ステップＳ１１）。
【００７３】
以上の様に、本発明を実施するための最良の形態によれば、図５において示した様に、患者に関する項目情報、撮影条件に関する項目情報、読影医の所見に関する項目情報等の付帯情報に含まれる複数の項目情報の中から検索項目を任意に設定することができ、各検索項目毎に検索条件を入力して読影医の種々の検索要望に柔軟に対応することができ、検索も容易である。したがって、適切な参照画像を選択して表示させることができる。
【００７４】
このとき、読影医の所見による医用画像の重要度によっても、過去画像の検索を行うことができるので、より適切な過去画像を参照して診断を行うことができる。
【００７５】
また、読影医毎、患者毎、病名毎に検索条件を任意に設定し、設定された検索条件を登録しておくことができるので、参照画像の検索を行う都度、検索項目の設定や入力を行う必要がなく、それぞれの読影医の好みの検索方法、あるいは患者毎、病名毎に適した方法で過去画像を検索し、適切な参照画像を選択することができる。
【００７６】
また、検索結果に基づき参照画像Ｃ２を表示させる際に、参照画像Ｃ２上に関連情報Ｂ２を表示し、医用画像表示画面上で他の過去画像を参照画像として表示を切り換えることができるので操作性が高い。すなわち、参照画像の表示を切り換える際に、医用画像表示画面(図７）から検索結果表示画面(図６）に画面表示を切り換える必要がなく、操作性が高い。
【図面の簡単な説明】
【００７７】
【図１】本発明を実施するための最良の形態における医用画像表示システム１００のシステム構成を示す図である。
【図２】図１に示す医用画像管理装置の機能的構成を示すブロック図である。
【図３】図１に示す医用画像表示装置の機能的構成を示すブロック図である。
【図４】図３の医用画像表示装置の表示部に表示される基本画面を示す図である。
【図５】図３の医用画像表示装置の表示部に表示される検索項目設定画面を示す図である。
【図６】図３の医用画像表示装置の表示部に表示される検索結果表示画面を示す図である。
【図７】図３の医用画像表示装置の表示部に表示される医用画像表示画面を示す図である。
【図８】患者の過去画像に対応する付帯情報一覧（ａ）および検索結果（ｂ）を示す図である。
【図９】本発明を実施するための最良の形態において実行される医用画像表示処理を示すフローチャートである。
【符号の説明】
【００７８】
１    モダリティ
２    医用画像管理装置
２１  制御部
２２  記憶部
２３  Ｉ／Ｆ部
３    医用画像表示装置
３１  制御部
３２  操作部
３３  記憶部
３４  Ｉ／Ｆ部
３５  表示部
１００  医用画像表示システム
Ａ３  未読影画像一覧表示エリア
Ａ４  検索項目選択ボタン表示エリア
Ａ５  検索条件入力エリア
Ａ６  表示件数設定ボタン表示エリア
Ｂ１  付帯情報
Ｂ２  関連情報
Ｃ１  未読影画像
Ｃ２  参照画像
Ｎ    ネットワーク
【図１】
2005085200.tif 000003
【図２】
2005085200.tif 000004
【図３】
2005085200.tif 000005
【図４】
2005085200.tif 000006
【図５】
2005085200.tif 000007
【図６】
2005085200.tif 000008
【図７】
2005085200.tif 000009
【図８】
2005085200.tif 000010
【図９】
2005085200.tif 000011